(57)【要約】【課題】  ダイアルアップ接続によりＩＰアドレスが動的に割り当てられた環境でも、ビジュアルなデータをウェブサーバのように提供することができる遠隔監視装置及び遠隔監視装置システムを提供する。【解決手段】  管理用コンピュータ４の操作部２１を操作して遠隔監視装置２に対して電話をかけて、遠隔監視装置２を音声通話回線により発呼する。遠隔監視装置２は着呼を検出すると、ダイアルアップ接続によりＩＳＰ７からＩＰアドレスを取得してインターネット８に接続し、メール送信機能により予め登録されている管理用コンピュータ４のメールアドレスに取得したＩＰアドレスを記載したメールを送信する。管理用コンピュータ４は遠隔監視装置２からメールを受け取ると、メールに記載されたＩＰアドレスにアクセスして、ウェブサーバとして動作する遠隔監視装置２からグラフなどのビジュアルなデータをリアルタイムに取得する。【選択図】  図１
2006033466.tif 000002
【特許請求の範囲】
【請求項１】
監視対象機器の状態を示すデータを取得するセンサと、
電話回線を介して音声通話を行う音声通話手段と、
インターネットを介してデータ通信を行うデータ通信手段と、
前記センサで取得したデータを用いて、監視対象機器の状態を表す画像データを作成する画像データ作成手段と、
前記音声通話手段における着呼を検出すると、前記データ通信手段でプロバイダにダイアルアップ接続して、このプロバイダからＩＰアドレスを取得するＩＰアドレス取得機能、前記プロバイダから取得したＩＰアドレスを記載したメールを作成して、予め記憶した特定の機器のメールアドレスへ前記データ通信手段に送信させるメール送信機能、及び前記ＩＰアドレスへのアクセスに応じて前記画像データ作成手段が作成した画像データを前記データ通信手段に送信させるウェブサーバ機能、を有する制御手段と、
を備えた遠隔監視装置。
【請求項２】
前記音声通話手段と前記データ通信手段とを有し、
前記音声通話手段の音声通話、及び前記データ通信手段のデータ通信を無線通信により行う音声通話データ通信共用カードと、この音声通話データ通信共用カードを挿抜自在なカードスロットと、を備えた請求項１に記載の遠隔監視装置。
【請求項３】
複数の監視員の電話番号とメールアドレスとを対応づけて記憶する記憶手段を備え、前記音声通話手段は着呼時に相手の電話番号を取得し、前記制御手段は前記特定の相手に代えて、前記音声通話手段が取得した電話番号に対応づけされた監視員のメールアドレスへメールを送信させる請求項１または２に記載の遠隔監視装置。
【請求項４】
請求項１乃至３のいずれかに記載の遠隔監視装置と、
ユーザの操作を受け付ける操作受付部と、
前記操作受付部で受け付けた電話番号の相手先に電話回線を介して発呼する音声通話手段と、
前記遠隔監視装置からのメールを受信し、このメールに記載されたＩＰアドレスにアクセスして前記遠隔監視装置に接続し、画像データの閲覧要求を送信して対応する画像データを取得するデータ通信手段と、を有するクライアント装置と、を備えた遠隔監視システム。
【発明の詳細な説明】
【技術分野】
【０００１】
本発明は、遠隔地に設置された監視対象の装置における各種センサ入力情報を、インターネットを介して集中監視室に伝達する遠隔監視装置及び遠隔監視システムに関する。
【背景技術】
【０００２】
従来、変電設備や排水設備などを監視する遠隔監視システムや、住戸における電力使用量を集計する管理システムでは、センサや計器などを用いて収集した各種のデータを、常時接続サービスを利用してインターネットを介して、データ集計・管理用のサーバへデータを送信する構成のものがあった（例えば、特許文献１参照。）。
【特許文献１】特開２００２−３５４５６０公報
【発明の開示】
【発明が解決しようとする課題】
【０００３】
特許文献１に開示された管理システムのようにインターネットを利用することで、専用の回線を設けることなくデータの送信が可能となり、特に複数の設備を監視する場合に配線コストを低減することができる。
【０００４】
また、常時接続サービスを利用した場合に、さらに固定ＩＰアドレスサービスを利用することで、常に同じＩＰアドレスを利用できるので、設備の状態をセンサなどを用いて監視する遠隔監視装置への接続が容易であり、遠隔監視装置において集計したデータや現在の状態などのグラフや設備の稼働状況のグラフなどビジュアルなデータをウェブサーバのように提供させることも可能であった。
【０００５】
しかしながら、データの送信頻度が１日〜１週間に１回程度で接続時間が数分程度のシステムにおいては、常時接続サービスや固定ＩＰアドレスサービスを利用すると、データの送信時のみインターネットに接続し、このときＩＰアドレスが動的に割り振られるダイアルアップ接続サービスを利用した場合に比べて、通信コストやサービス利用料が高くなってしまうという問題があった。
【０００６】
そこで、本発明は、ダイアルアップ接続によりＩＰアドレスが動的に割り当てられた環境でも、設備の状態を示すデータに基づいて作成した画像データのようなビジュアルなデータをウェブサーバのように提供することができる遠隔監視装置及び遠隔監視装置システムを提供することを目的とする。
【課題を解決するための手段】
【０００７】
この発明は、上記の課題を解決するための手段として、以下の構成を備えている。
【０００８】
（１）監視対象機器の状態を示すデータを取得するセンサと、
電話回線を介して音声通話を行う音声通話手段と、
インターネットを介してデータ通信を行うデータ通信手段と、
前記センサで取得したデータを用いて、監視対象機器の状態を表す画像データを作成する画像データ作成手段と、
前記音声通話手段における着呼を検出すると、前記データ通信手段でプロバイダにダイアルアップ接続して、このプロバイダからＩＰアドレスを取得するＩＰアドレス取得機能、前記プロバイダから取得したＩＰアドレスを記載したメールを作成して、予め記憶した特定の機器のメールアドレスへ前記データ通信手段に送信させるメール送信機能、及び前記ＩＰアドレスへのアクセスに応じて前記画像データ作成手段が作成した画像データを前記データ通信手段に送信させるウェブサーバ機能、を有する制御手段と、
を備えたことを特徴とする。
【０００９】
この構成においては、遠隔監視装置の制御手段は、ＩＰアドレス取得機能、メール送信機能、及びウェブサーバ機能を備えているので、特定の機器から着呼があったことを着呼検出手段で検出すると、データ通信手段でプロバイダにダイアルアップ接続して、このプロバイダからＩＰアドレスを取得し、このＩＰアドレスを記載したメールを作成して、特定の機器のメールアドレスへデータ通信手段に送信させることができる。したがって、遠隔監視装置は、ダイアルアップ接続であっても遠隔監視装置のＩＰアドレスを特定の機器へ伝達することができる。また、ＩＰアドレスを伝達した特定の機器からこのＩＰアドレスへアクセスがあり、画像データの閲覧要求を受け付けた場合には、その機器へ画像データ作成手段が作成した画像データを、データ通信手段により送信させることができる。したがって、遠隔監視装置は、ＩＰアドレスを固定化することなく、ウェブサーバのように監視対象機器の状態を示す画像データを提供することができる。さらに、データの閲覧頻度が低い場合には、常時接続に比べて通信費用の安いダイアルアップ接続を利用して、通信費を抑制することができる。
【００１０】
（２）前記音声通話手段と前記データ通信手段とを有し、
前記音声通話手段の音声通話、及び前記データ通信手段のデータ通信を無線通信により行う音声通話データ通信共用カードと、この音声通話データ通信共用カードを挿抜自在なカードスロットと、を備えたことを特徴とする。
【００１１】
この構成においては、遠隔監視装置は、前記音声通話手段と前記データ通信手段とを有し、無線通信を行う音声通話データ通信共用カードを使用できる。したがって、このカードとして既存のものを使用することで、遠隔監視装置本体の回路構成を簡略化することができ、設計工数も削減できる。また、遠隔監視装置にこの音声通話データ通信共用カードを使用することで、遠隔監視装置の設置の自由度を高めることができる。
【００１２】
（３）複数の監視員の電話番号とメールアドレスとを対応づけて記憶する記憶手段を備え、前記音声通話手段は着呼時に相手の電話番号を取得し、前記制御手段は前記特定の相手に代えて、前記音声通話手段が取得した電話番号に対応づけされた監視員のメールアドレスへメールを送信させることを特徴とする。
【００１３】
この構成においては、制御手段は、音声通話手段が取得した電話番号に対応づけされた監視員のメールアドレスへメールを送信させる。したがって、遠隔監視装置は、監視対象機器の状態を示す画像データをウェブサーバ機能により複数の監視員に対して提供することが可能となる。
【００１４】
（４）（１）乃至（３）のいずれかに記載の遠隔監視装置と、
ユーザの操作を受け付ける操作受付部と、
前記操作受付部で受け付けた電話番号の相手先に電話回線を介して発呼する音声通話手段と、
前記遠隔監視装置からのメールを受信し、このメールに記載されたＩＰアドレスにアクセスして前記遠隔監視装置に接続し、画像データの閲覧要求を送信して対応する画像データを取得するデータ通信手段と、を有するクライアント装置と、を備えたことを特徴とする。
【００１５】
この構成においては、クライアント装置は、操作受付部で受け付けた電話番号の相手先に電話回線を介して音声通話手段で発呼し、遠隔監視装置からメールが送られてくるとこのメールを受信して、メールに記載されたＩＰアドレスにアクセスして前記遠隔監視装置に接続し、画像データの閲覧要求を送信して対応する画像データを取得する。したがって、遠隔監視システムでは、クライアント装置から遠隔監視装置に対して電話により発呼することで、遠隔監視装置のＩＰアドレスをメールで取得することができ、監視対象機器の状態を示す画像データを容易に取得することができる。
【発明の効果】
【００１６】
本発明によれば、以下の効果が得られる。
【００１７】
遠隔監視装置は、ダイアルアップ接続であっても遠隔監視装置のＩＰアドレスを特定の機器へ伝達することができ、また、ＩＰアドレスを伝達した特定の機器からこのＩＰアドレスへアクセスがあり、画像データの閲覧要求を受け付けた場合には、その機器へ画像データ作成手段が作成した画像データを、データ通信手段により送信させることができる。これにより、遠隔監視装置は、ＩＰアドレスを固定化することなく、ウェブサーバのように監視対象機器の状態を示す画像データを提供することができ、さらに、データの閲覧頻度が低い場合には、常時接続に比べて通信費用の安いダイアルアップ接続を利用して、通信費を抑制することができる。
【００１８】
また、遠隔監視装置は、前記音声通話手段と前記データ通信手段とを有し、無線通信を行う音声通話データ通信共用カードを使用できるので、このカードとして既存のものを使用することで、遠隔監視装置本体の回路構成を簡略化することができ、設計工数も削減できる。また、遠隔監視装置にこの音声通話データ通信共用カードを使用することで、遠隔監視装置の設置の自由度を高めることができる。
【００１９】
さらに、遠隔監視システムでは、クライアント装置から遠隔監視装置に対して電話により発呼することで、遠隔監視装置のＩＰアドレスをメールで取得することができ、監視対象機器の状態を示す画像データを容易に取得することができる。
【発明を実施するための最良の形態】
【００２０】
図１は、本発明の実施形態に係る遠隔監視装置の概略構成図である。以下の説明では、受変電設備の遠隔監視システムを例に挙げて説明する。遠隔監視システム１は、受変電設備６を監視する遠隔監視装置２、遠隔監視装置２との無線通信や無線通話を中継する通信基地局３、及び遠隔監視装置２のデータを管理する管理用コンピュータ４を備えた構成である。また、管理用コンピュータ４に加えて電話機５を備えた構成であっても良い。遠隔監視装置２は、通信基地局３と無線通信回線であるＰＨＳ回線または携帯電話回線により接続されている。通信基地局３及び管理用コンピュータ４は、ＩＳＰ（インターネット・サービス・プロバイダ、単にプロバイダとも称する。）７を介してインターネット８に接続されている。また、通信基地局３と管理用コンピュータ４の間は、電話回線９で接続されている。
【００２１】
遠隔監視装置２は、計器用変成器１１ｃｖｔ，トランスデューサ１１ｔｄなどのセンサ類１１、記憶部１２、無線通信部１３、及び制御部１４を備えている。
【００２２】
計器用変成器１１ｃｖｔは、受変電設備６における一次側や二次側の電圧・電流を測定し、トランスデューサ１１ｔｄは計器用変成器１１ｃｖｔから得られた電圧や電流などの信号を計装用信号に変換する。
【００２３】
記憶部１２は、トランスデューサ１１ｔｄから出力された一定期間分の計装用信号を記憶する。
【００２４】
無線通信部１３は、音声通話機能部１３ａとデータ通信機能部１３ｂを備えている。音声通話機能部１３ａは、音声通話の着呼を検出すると予め設定した音声応答メッセージにより応答した後に通話を切断する。また、データ通信機能部１３ｂは、メールの送信やデータの送信要求の受け付け、送信要求を受け付けたデータの送信などを行う。なお、無線通信部１３は、図外のカードスロット、及び音声通話・データ通信共用カードからなる。また、このカードスロットには、ＰＨＳ回線用の音声通話・データ通信共用カードと携帯電話回線用の音声通話・データ通信共用カードのいずれも挿抜（装着）可能である。遠隔監視装置２を設置場所に応じていずれかの音声通話・データ通信共用カードを選択的に使用することが可能である。
【００２５】
制御部１４は、遠隔監視装置２の各部を制御する。また、制御部１４は、無線通信部１３の音声通話機能部１３ａが着呼を検出すると、インターネット８に接続された図外のＩＳＰに接続して、ＩＰアドレスを取得する。また、制御部１４は、ＩＰアドレスを取得すると、電話の着呼があった相手先にメールでこのＩＰアドレスを送信する。さらに、制御部１４は、管理用コンピュータ４から特定のデータの送信要求があると、記憶部１２からデータを読み出して送信要求のあったデータを送信する。また、制御部１４は、管理用コンピュータ４から電力の推移を表すグラフなどビジュアルなデータの送信要求を受け付けると、記憶部１２からデータを読み出してグラフの画像データを作成し、管理用コンピュータ４へこのデータを送信する。
【００２６】
遠隔監視装置２は、前記のように、無線通信部１３のスロットに音声通話・データ通信共用カードを装着することで、音声通話機能及びデータ通信機能を利用することができる。また、遠隔監視装置２は、インターネット８を介して他の機器へメールを送信するメール発信機能、及びセンサ類１１で収集した受変電設備６のデータに基づいて、ＨＴＭＬやＪａｖａ（登録商標）の仕様に準拠したビジュアルなデータ（グラフなどの画像や動画などのデータ）をリアルタイムに提供するウェブサーバ機能を備えている。
【００２７】
通信基地局３は、インターネット８（ＩＳＰ７）に接続されるとともに、電話回線９に接続されており、管理用コンピュータ４から電話回線９を介して接続要求が送られてくると、遠隔監視装置２の無線通信部１３の音声通話機能部１３ａに呼び出し音を鳴らすように信号を出力する。また、無線通信部１３の音声通話機能部１３ａが応答すると、遠隔監視装置２の無線通信部１３と管理用コンピュータ４との間において音声通話データの送受信を行う。
【００２８】
管理用コンピュータ４は、操作部２１、有線通信部２２、記憶部２３、表示部２４、及び制御部２５を備えている。
【００２９】
操作部２１は、遠隔監視システムの監視員が行った入力操作を受け付けて、その操作に応じた信号を制御部２５へ出力する。有線通信部２２は、音声通話機能部２２ａとデータ通信機能部２２ｂを備えている。音声通話機能部２２ａは、遠隔監視装置２に対して電話をかける。また、データ通信機能部２２ｂは、メールの受信やデータの送信要求の送信、送信要求を行ったデータの受信などを行う。記憶部２３は、制御部２５が実行する制御プログラムや、遠隔監視装置２から送られてきたデータなどを記憶する。表示部２４は、図外のＬＣＤを備えており、制御部２５から出力された信号に応じて文字や画像などをＬＣＤに表示する。制御部２５は、管理用コンピュータ４の各部の制御や演算や判定などを行う。すなわち、制御部２５は、操作部２１から出力された信号の検出、表示部２４に表示させるデータの出力、記憶部２３からのデータの読み出しや記憶部２３へのデータの書き込み、有線通信部２２と情報のやりとり、演算や判定などを行う。
【００３０】
遠隔監視システム１では、遠隔監視装置２のウェブサーバ機能を利用することで、受変電設備６に異常が発生した場合や定期的に受変電設備６の状態を、事務所または集中管理室に設置された管理用コンピュータ４を用いて、ビジュアルなデータによりリアルタイムに確認することができる。
【００３１】
ここで、遠隔監視システム１では、遠隔監視装置２のウェブサーバ機能を利用してデータを確認する頻度が１週間〜１ヶ月に１回で接続時間が数分程度であるため、遠隔監視装置２はダイアルアップ接続サービスを利用してインターネット８に接続する。また、このとき、遠隔監視装置２には、ＩＳＰ７からＩＰアドレスが動的に割り当てられる。
【００３２】
遠隔監視システム１では、遠隔監視装置２に受変電設備６の計測データに基づいて作成したデータの推移を表すグラフなどビジュアルなデータにより受変電設備６の状況をリアルタイムに確認する際には、以下のような処理が行われる。まず、遠隔監視装置２のウェブサーバ機能を利用するためには、インターネット８を介して遠隔監視装置２に接続する必要がある。そのため、監視員は、遠隔監視装置２のＩＰアドレスをメールで送信するように要求する処理として、管理用コンピュータ４の操作部を操作して間接的に、または電話機５を用いて直接、遠隔監視装置２に対して電話をかけて、遠隔監視装置２を音声通話回線により発呼する。遠隔監視装置２は、着呼を検出すると、ダイアルアップ接続によりＩＳＰ７からＩＰアドレスを取得してインターネット８に接続する。そして、遠隔監視装置２は、メール送信機能により、予め登録されている管理用コンピュータ４のメールアドレスに、取得したＩＰアドレスを記載したメールを送信する。管理用コンピュータ４は、遠隔監視装置２からメールを受け取ると、このメールに記載されたＩＰアドレスにアクセスして、ウェブサーバとして動作する遠隔監視装置２からビジュアルなデータをリアルタイムに取得する。これにより、監視員は、管理用コンピュータ４の表示部２４に表示されたビジュアルなデータにより受変電設備６の状態をリアルタイムに確認することができる。また、遠隔監視装置２はダイアルアップ接続でありＩＰアドレスが動的に割り当てられる構成であるが、遠隔監視装置２から問題なくビジュアルデータをリアルタイムに提供できる。なお、メールに記載するＩＰアドレスは、遠隔監視装置２に容易に接続できるように、http://ＩＰアドレス のように記述することが望ましい。
【００３３】
図２は、監視員名、電話番号、及びメールアドレスの対応表である。遠隔監視装置２の記憶部１２には、図２に示すような対応表が格納されており、遠隔監視装置２の制御部１４は、着呼を検出した際に電話番号を確認すると、記憶部１２が記憶するこの対応表を読み出して、着呼のあった電話番号に対応するメールアドレスに、遠隔監視装置２のＩＰアドレスを記載したメールを送信する。
【００３４】
これにより、遠隔監視装置２が監視する受変電設備６のビジュアルなデータを、複数の管理用コンピュータから確認することが可能となる。
【００３５】
なお、遠隔監視装置２に対して電話をかける監視員が一人のみの場合には、この監視員が使用する管理用コンピュータのメールアドレスのみを記憶部１２で記憶しておくようにすると良い。また、この場合には、遠隔監視装置２に対して電話がかかってきた際に、電話番号の確認は行わなくても良い。
【００３６】
次に、遠隔監視システム１の動作について、フローチャートに基づいて説明する。図３は、本発明の実施形態に係る遠隔監視システムの動作を説明するためのフローチャートである。
【００３７】
遠隔監視装置２から、受変電設備６の計測データに基づいたビジュアルなデータをリアルタイムに取得する場合には、以下のような処理が行われる。
【００３８】
まず、監視員は、管理用コンピュータ４の操作部２１を操作して、遠隔監視装置２に対して電話をかける操作を行う。制御部２５は、操作部２１において電話をかける操作が行われたことを検出すると、遠隔監視装置２の電話番号をダイアルして、遠隔監視装置２に対して音声通話機能部２２ａから電話をかける（ｓ１）。
【００３９】
この操作により、図外の交換機により電話回線９及び通信基地局３を介して、管理用コンピュータ４と遠隔監視装置２とが音声通話回線により接続され、また、管理用コンピュータ４の電話番号が通知されるとともに、遠隔監視装置２が発呼される。遠隔監視装置２の制御部１４は、無線通信部１３の音声通話機能部１３ａにおいて着呼を検出すると（ｓ１１）、管理用コンピュータ４からの呼び出しに応答し（ｓ１２）、音声通話を切断する（ｓ１３）。このとき、管理用コンピュータ４側でも音声通話が切断される（ｓ２）。
【００４０】
制御部１４は、続いてデータ通信機能部１３ｂによりインターネット８のＩＳＰに接続して（ｓ１４）、ＩＰアドレスを取得する（ｓ１５）。そして、制御部１４は、記憶部１２に格納された対応表を読み出して、着呼の際に通知された電話番号に対応するメールアドレス（管理用コンピュータ４のメールアドレス）へ、取得したＩＰアドレスを記載したメールをデータ通信機能部１３ｂによりインターネット８を介して送信する（ｓ１６）。
【００４１】
管理用コンピュータ４は、このメールをデータ通信機能部２２ｂで受信すると（ｓ３）、メールに記載されたＩＰアドレスにデータ通信機能部２２ｂによりアクセスして（ｓ４）、遠隔監視装置２のウェブサーバ機能によりビジュアルなデータを閲覧可能な、遠隔監視装置２と接続した状態となり、表示部２４に遠隔監視装置２から送られてきた画像が表示される（ｓ５）。
【００４２】
監視員は、表示部２４の表示に従って、所望のデータを閲覧するための操作を操作部２１で行う。制御部２５は、操作部２１で行われた操作に応じたデータを管理用コンピュータ４で閲覧できるように、データの送信要求をデータ通信機能部２２ｂからインターネット８を介して遠隔監視装置２へ送信する（ｓ６）。
【００４３】
遠隔監視装置２の制御部１４は、管理用コンピュータ４との接続後に（ｓ１７）、無線通信部１３のデータ通信機能部１３ｂでデータの送信要求を受信すると、この送信要求に応じたデータを作成するために、記憶部１２からセンサ類１１により取得したデータを読み出して、ビジュアルなデータを作成する（ｓ１８）。そして、このデータをデータ通信機能部１３ｂからインターネット８を介して管理用コンピュータ４へ送信する（ｓ１９）。
【００４４】
管理用コンピュータ４の制御部２５は、有線通信部２２のデータ通信機能部２２ｂでデータを受信すると、表示部２４にデータを表示させる（ｓ７）。監視員は、上記のように、操作部２１の操作を繰り返すことで、遠隔監視装置２から送られてきた、受変電設備６の現在の状態を示すグラフなどの画像や動画などのビジュアルデータを確認（閲覧）することができる。
【００４５】
また、監視員は、ビジュアルデータの閲覧が終了すると、操作部２１を操作して遠隔監視装置２との接続を遮断する操作を行う。制御部２５は、操作部２１において遠隔監視装置２との接続を遮断する操作を検出すると、接続遮断命令をインターネット８を介して遠隔監視装置２へ有線通信部２２のデータ通信機能部２２ｂから送信する（ｓ８）。
【００４６】
遠隔監視装置２は、接続遮断命令を無線通信部１３のデータ通信機能部１３ｂで受信すると、インターネット８との接続を遮断して（ｓ２０）、処理を終了する。
【図面の簡単な説明】
【００４７】
【図１】本発明の実施形態に係る遠隔監視装置の概略構成図である。
【図２】監視員名、電話番号、及びメールアドレスの対応表である。
【図３】本発明の実施形態に係る遠隔監視システムの動作を説明するためのフローチャートである。
【符号の説明】
【００４８】
１−遠隔監視システム    ２−遠隔監視装置    ３−通信基地局
４−管理用コンピュータ    ５−電話機    ６−受変電設備    ７−ＩＳＰ
８−インターネット    ９−電話回線
１１−センサ類    １２，２３−記憶部    １３−無線通信部
１４，２５−制御部    ２１−操作部    ２２−有線通信部    ２４−表示部
【図１】
2006033466.tif 000003
【図２】
2006033466.tif 000004
【図３】
2006033466.tif 000005